(57)【特許請求の範囲】
【請求項１】
メールを受信する受信部と、
前記受信部で受信した前記メールに関する情報を表示させる表示領域を有する表示部と、
前記受信部で受信したメールに所定のキーワードが含まれているか判定し、前記メールに所定のキーワードが含まれている場合には、前記キーワードを予め設定された文字に置換して前記メールに関する情報を、前記表示領域に表示させる制御部と、
を備え、
前記制御部は、前記メールに所定のキーワードが含まれている場合に、前記メールの全文をサンプル文に置換し、前記サンプル文の少なくとも一部を、前記表示領域に表示させることを特徴とする携帯電子機器。
【請求項２】
ユーザの入力を検出する入力検出部をさらに備え、
前記制御部は、前記メールのキーワードを予め設定された文字に置換して表示させている場合に、前記入力検出部でユーザの入力を検出したら、前記設定された文字を前記キーワードに置換して、前記表示領域に表示させることを特徴とする請求項１に記載の携帯電子機器。
【請求項３】
前記制御部は、前記メールに関する情報として、前記メールの内容を表示させている場合に、前記入力検出部でユーザの入力を検出したら、前記キーワードを予め設定された文字に置換して前記表示領域に表示させることを特徴とする請求項２に記載の携帯電子機器。
【請求項４】
ユーザの入力を検出する入力検出部をさらに備え、
前記制御部は、前記メールの全文をサンプル文に置換して表示させている際に、前記入力検出部でユーザの入力を検出したら、前記サンプル文を前記メールの全文に置換し、前記全文の少なくとも一部を、前記表示領域に表示させることを特徴とする請求項１に記載の携帯電子機器。
【請求項５】
前記制御部は、前記サンプル文から置換された前記メールを表示させる際に、前記メールの最初から表示させることを特徴とする請求項４に記載の携帯電子機器。
【請求項６】
メールを受信する受信部と、
前記受信部で受信した前記メールに関する情報を表示させる表示領域を有する表示部と、
前記受信部で受信したメールに所定のキーワードが含まれているか判定し、前記メールに所定のキーワードが含まれている場合には、前記キーワードを予め設定された文字に置換して前記メールに関する情報を、前記表示領域に表示させる制御部と、
機器本体の姿勢を検出する姿勢検出部を備え、
前記表示領域は、文字を１行表示できるピクト領域であり、
前記制御部は、メールに関するアプリケーションとは異なる他のアプリケーションの実行中に、前記キーワードを予め設定された文字に置換して前記ピクト領域にスクロールさせて表示させている際に、
前記姿勢検出部が前記姿勢の傾きを検出した場合には、前記設定された文字を前記キーワードに置換して、前記ピクト領域に表示させることを特徴とする携帯電子機器。
【請求項７】
ユーザの入力を検出する入力検出部と、
秘匿設定及びキーワードに関する情報が記憶されている記憶部と、
前記受信部でメールを受信したら、前記メールの送信者が秘匿設定されているかを判定し、前記送信者が秘匿設定されている場合は、
前記メールに所定のキーワードが含まれているか判定し、前記メールに所定のキーワードが含まれている場合は、前記メールに関する情報を、前記表示領域に表示させる制御部と、
をさらに備えることを特徴とする請求項１に記載の携帯電子機器。
【請求項８】
前記制御部は、前記メールの送信者が秘匿設定されており、かつ、前記メールに所定のキーワードが含まれていない場合には、前記メールを前記表示部に表示させないことを特徴とする請求項７に記載の携帯電子機器。
【請求項９】
前記表示領域は、文字を１行表示できるピクト領域であり、
前記制御部は、前記ピクト領域に文字をスクロールさせて表示させることを特徴とする請求項７または８に記載の携帯電子機器。
【発明の詳細な説明】
【技術分野】
【０００１】
本発明は、表示領域の一部に電子メールを表示する携帯電子機器に関する。
【背景技術】
【０００２】
従来、携帯電話機において、表示領域の一部をピクト表示領域とし、ピクト表示領域に受信した電子メールの内容等を表示することが行われている。関連する技術として、特許文献１には、受信した電子メールに対して、携帯電話端末において差出元に関する秘匿性の設定がなされているときには、ピクト表示領域においてスクロール表示を行わないことが記載されている。
【先行技術文献】
【特許文献】
【０００３】
【特許文献１】特開２００８−４２６９８号公報
【発明の概要】
【発明が解決しようとする課題】
【０００４】
ところで、秘匿性の設定がなされていない差出元からの電子メールであっても、その内容によっては秘匿したい場合がある。しかしながら、従来の技術では、秘匿性の設定がなされていない差出元からの電子メールはピクト表示されてしまい、そのような電子メールを他人に見られてしまう可能性がある。
【０００５】
また、特許文献１によれば、秘匿性の設定がなされている差出元からの電子メールは全てピクト表示されないことになる。かかる場合には、メーラ（メールアプリケーション）を起動して電子メールの内容を確認する必要があり、ユーザにとって操作が煩雑なものとなる。
【０００６】
本発明は、上記に鑑みてなされたものであって、電子メールの秘匿を柔軟に行うことができる携帯電子機器を提供することを目的とする。
【課題を解決するための手段】
【０００７】
上述した課題を解決し、目的を達成するために、本発明は、メールを受信する受信部と、前記受信部で受信した前記メールに関する情報を表示させる表示領域を有する表示部と、前記受信部で受信したメールに所定のキーワードが含まれているか判定し、前記メールに所定のキーワードが含まれている場合には、前記キーワードを予め設定された文字に置換して前記メールに関する情報を、前記表示領域に表示させる制御部と、を備えることを特徴とする。
【０００８】
また、ユーザの入力を検出する入力検出部をさらに備え、前記制御部は、前記メールのキーワードを予め設定された文字に置換して表示させている場合に、前記入力検出部でユーザの入力を検出したら、前記設定された文字を前記キーワードに置換して、前記表示領域に表示させることが好ましい。
【０００９】
また、前記制御部は、前記メールに関する情報として、前記メールの内容を表示させている場合に、前記入力検出部でユーザの入力を検出したら、前記キーワードを予め設定された文字に置換して前記表示領域に表示させることが好ましい。
【００１０】
また、前記制御部は、前記メールに所定のキーワードが含まれている場合に、前記メールの全文をサンプル文に置換し、前記サンプル文の少なくとも一部を、前記表示領域に表示させることが好ましい。
【００１１】
また、ユーザの入力を検出する入力検出部をさらに備え、前記制御部は、前記メールの全文をサンプル文に置換して表示させている際に、前記入力検出部でユーザの入力を検出したら、前記サンプル文を前記メールの全文に置換し、前記全文の少なくとも一部を、前記表示領域に表示させることが好ましい。
【００１２】
また、前記制御部は、前記サンプル文から置換された前記メールを表示させる際に、前記メールの最初から表示させることが好ましい。
【００１３】
また、機器本体の姿勢を検出する姿勢検出部を備え、前記表示領域は、文字を１行表示できるピクト領域であり、前記制御部は、メールに関するアプリケーションとは異なる他のアプリケーションの実行中に、前記キーワードを予め設定された文字に置換して前記ピクト領域にスクロールさせて表示させている際に、前記姿勢検出部が前記姿勢の傾きを検出した場合には、前記設定された文字を前記キーワードに置換して、前記ピクト領域に表示させることが好ましい。
【００１４】
また、本発明は、メールを受信する受信部と、前記受信部で受信した前記メールに関する情報を表示させる表示領域を有する表示部と、ユーザの入力を検出する入力検出部と、秘匿設定及びキーワードに関する情報が記憶されている記憶部と、前記受信部でメールを受信したら、前記メールの送信者が秘匿設定されているかを判定し、前記送信者が秘匿設定されている場合は、前記メールに所定のキーワードが含まれているか判定し、前記メールに所定のキーワードが含まれている場合は、前記メールに関する情報を、前記表示領域に表示させる制御部と、を備えることを特徴とする。
【００１５】
ここで、前記制御部は、前記メールの送信者が秘匿設定されており、かつ、前記メールに所定のキーワードが含まれていない場合には、前記メールを前記表示部に表示させないことが好ましい。
【００１６】
また、前記表示領域は、文字を１行表示できるピクト領域であり、前記制御部は、前記ピクト領域に文字をスクロールさせて表示させることが好ましい。
【発明の効果】
【００１７】
本発明にかかる携帯電子機器は、電子メールの秘匿を柔軟に行うことが可能となるという効果を奏する。
【図面の簡単な説明】
【００１８】
【図１】本発明の携帯電子機器の一例である携帯電子機器の一実施形態の概略構成を示す正面図である。
【図２】携帯電子機器の機能の概略構成を示すブロック図である。
【図３】携帯電子機器で画像を表示させている状態を示す説明図である。
【図４】携帯電子機器で画像を表示させている状態を示す説明図である。
【図５】携帯電子機器の動作の一例を示すフロー図である。
【図６】携帯電子機器の動作の一例を示すフロー図である。
【図７】置換テーブルの一例を示す説明図である。
【図８】携帯電子機器の動作の一例を示すフロー図である。
【図９】携帯電子機器の動作の一例を示すフロー図である。
【図１０】携帯電子機器の動作の一例を示すフロー図である。
【発明を実施するための形態】
【００１９】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、携帯電子機器として携帯電話機を例として説明するが、本発明の適用対象は携帯電話機に限定されるものではなく、例えば、ＰＨＳ（Personal Handyphone System）、ＰＤＡ、ゲーム機等に対しても本発明は適用できる。
【００２０】
図１は、本発明の携帯電子機器の一実施形態の概略構成を示す正面図である。携帯電子機器１は、無線通信機能を備えた携帯電話機である。携帯電子機器１は、筐体１Ｃが第１筐体１ＣＡと第２筐体１ＣＢとで開閉可能に構成された、折り畳み式の携帯電話機である。なお、図１は、携帯電子機器１を開いた状態である。
【００２１】
第１筐体１ＣＡには、表示部として、図１に示すメインディスプレイ２Ｍが設けられる。メインディスプレイ２Ｍは、所定の画像として、携帯電子機器１が受信を待機している状態のときに待ち受け画面を表示したり、携帯電子機器１の操作を補助するために用いられるメニュー画像を表示したりする。また、図１に示すように、第１筐体１ＣＡには、携帯電子機器１の通話時に音声を発するレシーバ６が設けられている。
【００２２】
第２筐体１ＣＢには、通話相手の電話番号や、メール作成時等に文字を入力するための操作キー３が複数設けられ、また、メインディスプレイ２Ｍに表示されるメニューの選択及び決定や画面のスクロール等を容易に実行するための専用キー４が設けられる。なお、操作キー３及び専用キー４は、携帯電子機器１の操作部２８（図２参照）を構成する。また、第２筐体１ＣＢには、携帯電子機器１の通話時に音声を受け取るマイク５が設けられる。
【００２３】
また、第１筐体１ＣＡと第２筐体１ＣＢとは、ヒンジ１８で連結されている。これによって、第１筐体１ＣＡ及び第２筐体１ＣＢは、ヒンジ１８を中心としてともに回動して、互いに遠ざかる方向及び互いに接近する方向に回動できるように構成される。第１筐体１ＣＡと第２筐体１ＣＢとが互いに遠ざかる方向に回動すると携帯電子機器１が開き、第１筐体１ＣＡと第２筐体１ＣＢとが互いに接近する方向に回動すると携帯電子機器１が閉じる。
【００２４】
次に、携帯電子機器の機能の概略構成を説明する。図２は、携帯電子機器の一実施形態の機能の概略構成を示すブロック図である。図２に示すように携帯電子機器１は、制御部２２と、記憶部２４と、送受信部２６と、操作部２８と、音声処理部３０と、表示部３２と、姿勢検出センサ３４と、を有する。
【００２５】
制御部２２は、携帯電子機器１の全体的な動作を統括的に制御する処理部、例えばＣＰＵ（Central Processing Unit）である。すなわち、携帯電子機器１の各種の処理が、操作部２８の操作や携帯電子機器１の記憶部２４に保存されるソフトウェアに応じて適切な手順で実行されるように、送受信部２６、表示部３２等の動作を制御する。制御部２２は、記憶部２４に保存されているプログラム（例えば、オペレーティングシステムプログラム、アプリケーションプログラム等）に基づいて処理を実行する。また、制御部２２は、複数のプログラム（アプリケーション、ソフトウェア）を並列で実行することができる。
【００２６】
記憶部２４には、制御部２２での処理に利用されるアプリケーションのプログラムやデータが保存されている。具体的には、アプリケーションのプログラムとして、インターネット通信を行うアプリケーションのプログラムや、メールの送受信を行うアプリケーションのプログラム、音声データの再生を行うアプリケーションのプログラム、発信、着信、通話処理を行うアプリケーションのプログラム、ワンセグ放送処理を行うアプリケーションのプログラム等が保存されている。また、データとしては、画像データ、音声データ、文字変換のための辞書データ、アドレス帳データ等が記憶されている。
【００２７】
送受信部２６は、アンテナ２６ａを有し、基地局によって割り当てられるチャネルを介し、基地局との間でＣＤＭＡ方式などによる無線信号回線を確立し、基地局との間で電話通信及び情報通信を行う。
【００２８】
操作部２８は、例えば、電源キー、通話キー、数字キー、文字キー、方向キー、決定キー、発信キーなど、各種の機能が割り当てられた操作キー３と専用キー４とで構成され、これらのキーがユーザの操作により入力されると、その操作内容に対応する信号を発生させる。そして、発生した信号は、ユーザの指示として制御部２２へ入力される。
【００２９】
音声処理部３０は、マイク５に入力される音声信号やレシーバ６から出力される音声信号の処理を実行する。すなわち、音声処理部３０は、マイク５から入力される音声を増幅し、ＡＤ変換（Analog Digital変換）を実行した後さらに符号化等の信号処理を施して、ディジタルの音声データに変換して制御部２２へ出力する。また、制御部２２から送られる音声データに対して復号化、ＤＡ変換（Digital Analog変換）、増幅等の処理を施してアナログの音声信号に変換してから、レシーバ６へ出力する。
【００３０】
表示部３２は、液晶ディスプレイ（ＬＣＤ、Liquid Crystal Display）や、有機ＥＬ（Organic Electro-Luminescence）パネルなどで構成されたメインディスプレイ２Ｍを備え、制御部２２から供給される映像データに応じた映像、画像データに応じた画像をメインディスプレイ２Ｍに表示させる。
【００３１】
姿勢検出センサ３４は、携帯電子機器１の姿勢を検出する検出器である。姿勢検出センサ３４として、種々の方法で姿勢を検出する検出器を用いることができ、例えば、３軸のジャイロと３軸の加速度センサとの組み合わせ等で姿勢を検出する検出器を用いることができる。姿勢検出センサ３４は、ユーザが携帯電子機器１の姿勢を変化させると、姿勢に対応する信号を発生させる。そして、発生した信号は、ユーザの指示として制御部２２へ入力される。携帯電子機器１は、基本的に以上のような構成である。
【００３２】
図３は、制御部２２により表示部３２のメインディスプレイ２Ｍに表示される画像の例を示す図である。メインディスプレイ２Ｍには、電界強度、電池残量、時刻等、ユーザが携帯電子機器１を使用するために常に知っておきたい携帯電子機器１の使用環境の状態（ステータス）などを表示するための表示領域２Ｍａが、例えば図３に示すように、全表示画面領域のうちの一部（図３においては、上部）に設けられている。
【００３３】
この表示領域２Ｍａは、一般に、ピクト表示領域（ピクト表示行）と呼ばれており、上記したステータスがグラフィックス表示される。このグラフィックス表示のそれぞれを、ピクト表示と呼ぶことにする。図３においては、ピクト表示として、電池残量表示４１と、電界強度表示４２と、時刻表示４３とが、ピクト表示領域２Ｍａに表示されている。メインディスプレイ２Ｍの全表示画面領域のうちのピクト表示領域２Ｍａ以外の領域は、メイン表示領域と呼ばれ、待ち受け画像や各種アプリケーションの画像が表示される。図３においては、メイン表示領域２Ｍｂには、文字サイズを変更するための画像が表示されている。
【００３４】
図４は、制御部２２により表示部３２のメインディスプレイ２Ｍに表示される画像の例を示す図である。後述するように、制御部２２は、送受信部２６が外部と通信して電子メールを受信したことを検出したら、電子メールの内容をピクト表示領域２Ｍａに横スクロール表示させる。このように電子メールの内容をピクト表示領域２Ｍａに横スクロール表示させることをピクトインフォメーション表示と呼ぶことにする。図４は、制御部２２が「山田太郎」という送信者から受信した電子メールをピクト表示領域２Ｍａに表示させた様子を示している。なお、図４において、メイン表示領域２Ｍｂには文字サイズ設定画像が表示されている、すなわち、携帯電子機器１において文字サイズ設定アプリケーションが実行されているが、携帯電子機器１において待ち受けアプリケーション等の種々のアプリケーションが実行され、メイン表示領域２Ｍｂに待ち受け画像等の種々のアプリケーションの画像が表示されている場合にも、ピクトインフォメーション表示を行うことができる。
【００３５】
次に、図５を用いて携帯電子機器１の動作、具体的には、制御部２２による表示部３２への画像表示動作について説明する。図５は、電子メールを受信する際の携帯電子機器１の第１の処理を示すフロー図である。
【００３６】
まず、制御部２２は、ステップＳ１２として、送受信部２６が外部と通信して電子メールを受信したことを検出したら、電子メールの受信処理を実行する。次に、制御部２２は、ステップＳ１４として、受信した電子メール（送信者名、件名、本文）の中にピクト表示を禁止する（ユーザが秘匿したい）文字（キーワード）が含まれているか否かを判定する。なお、ユーザがピクト表示を禁止するキーワードを予め設定し、記憶部２４に保存しておくことができる。
【００３７】
制御部２２は、ステップＳ１４で電子メールの中にピクト表示を禁止するキーワードが含まれていない（Ｎｏ）と判定したら、ステップＳ１６として、電子メールの内容を表示部３２のピクト表示領域２Ｍａにピクトインフォメーション表示させる。
【００３８】
制御部２２は、ステップＳ１４で電子メールの中にピクトインフォメーション表示を禁止するキーワードが含まれている（Ｙｅｓ）と判定したら、またはステップＳ１６で電子メールの内容をピクト表示領域２Ｍａにピクトインフォメーション表示させたら、ステップＳ１８として、キー押下がされたか否かを判定する。制御部２２は、ステップＳ１８でキー押下がされていない（Ｎｏ）と判定したら、処理を終了する。なお、ピクトインフォメーションの表示中に、キー押下されると、ピクトインフォメーションは非表示となる。また、表示禁止キーワードが含まれておらず、キー押下されない場合には、ピクトインフォメーションは表示されない。
【００３９】
ユーザが周囲の状況などを勘案して電子メールの内容をピクトインフォメーション表示させたいと考えてキー押下をしたら、つまり、制御部２２は、ステップＳ１８でキー押下がされた（Ｙｅｓ）と判定したら、ステップＳ２０として、電子メールの中にピクトインフォメーション表示を禁止するキーワードが含まれているか否かにかかわらず、電子メールの内容をピクトインフォメーション表示させる。なお、処理がステップＳ１６からステップＳ１８を経てステップＳ２０に遷移した場合には、電子メールのピクトインフォメーション表示が継続して行われることになる。
【００４０】
以上の処理により、まず、電子メールの中にピクトインフォメーション表示を禁止するキーワードが含まれていない場合には、キー押下の有無にかかわらず、電子メールの内容がピクトインフォメーション表示される。また、電子メールの中にピクトインフォメーション表示を禁止するキーワードが含まれている場合には、ユーザが周囲の状況などを勘案して電子メールの内容をピクトインフォメーション表示させたいと考えてキー押下をしたら、電子メールの内容がピクトインフォメーション表示される。これにより、秘匿したいキーワードを含む電子メールを他人に見られてしまうことを防止することができる。また、簡単な操作（本例ではキー押下）で、秘匿したいキーワードを含む電子メールをピクトインフォメーション表示させることができる。
【００４１】
なお、本例では、制御部２２がキー押下を検出したら電子メールのピクトインフォメーション表示を行うようにしているが、ユーザがキー押下に代えて携帯電子機器１の姿勢を変化させ、制御部２２が姿勢検出センサ３４で携帯電子機器１の姿勢の変化を検出したら電子メールのピクトインフォメーション表示を行うようにしても良い。
【００４２】
また、本例では、メールをピクトインフォメーション表示させる際に、キーワードを予め設定された文字に置換する場合について説明したが、メールアプリケーションプログラム（メーラ）でメールを表示させる際に、キーワードを予め設定された文字に置換することも可能である。
【００４３】
次に、図６を用いて携帯電子機器１の動作、具体的には、制御部２２による表示部３２への画像表示動作について説明する。図６は、電子メールを受信する際の携帯電子機器１の第２の処理を示すフロー図である。
【００４４】
まず、制御部２２は、ステップＳ３２として、送受信部２６が外部と通信して電子メールを受信したことを検出したら、電子メールの受信処理を実行する。次に、制御部２２は、ステップＳ３４として、受信した電子メールの中にピクトインフォメーション表示を禁止するキーワードが含まれているか否かを判定する。
【００４５】
制御部２２は、ステップＳ３４で電子メールの中にピクトインフォメーション表示を禁止するキーワードが含まれている（Ｙｅｓ）と判定したら、ステップＳ３６として、電子メールの中のピクトインフォメーション表示を禁止するキーワードを他の文字に置換する処理である表示禁止文字置換処理を実行する。なお、ユーザが電子メールの中のキーワード（秘匿したい文字）を他の文字に置換するための置換テーブルを予め設定し、記憶部２４に保存しておくことができる。図７は、置換テーブルの一例を示す図である。図７に示す置換テーブルを用いると、例えば、受信した電子メール（送信者名、件名、本文）の中に連続した５個の星印がある場合には、それらの文字は「おはようございます」という文字に置換される。また、受信した電子メールの中に「佐藤花子」という文字がある場合には、それらの文字は「こんにちは」という文字に置換される。
【００４６】
再び図６を参照すると、制御部２２は、ステップＳ３４で電子メールの中にピクトインフォメーション表示を禁止するキーワードが含まれていない（Ｎｏ）と判定したら、またはステップＳ３６で表示禁止文字置換処理を実行したら、ステップＳ３８として、電子メールをピクト表示領域２Ｍａにピクトインフォメーション表示させる。
【００４７】
制御部２２は、ステップＳ４０として、キー押下がされたか否かを判定する。制御部２２は、ステップＳ４０でキー押下がされていない（Ｎｏ）と判定したら、処理を終了する。
【００４８】
ユーザが周囲の状況などを勘案して電子メールの内容をピクトインフォメーション表示させたいと考えてキー押下をしたら、つまり、制御部２２は、ステップＳ４０でキー押下がされた（Ｙｅｓ）と判定したら、ステップＳ４２として、表示禁止文字置換処理によって置換が行われた場合にはそれを解除する（元に戻す）処理である表示禁止文字置換解除処理を実行する。続いて、制御部２２は、ステップＳ４４として、電子メールの内容をピクト表示領域２Ｍａにピクトインフォメーション表示させる。なお、このとき、制御部２２が、受信したメールの最初からピクトインフォメーション表示させるようにしても良い。
【００４９】
以上の処理により、まず、電子メールの中にピクトインフォメーション表示を禁止するキーワードが含まれていない場合には、受信した電子メールの内容がピクトインフォメーション表示される。また、電子メールの中にピクトインフォメーション表示を禁止するキーワードが含まれている場合には、表示禁止文字置換処理後の電子メールの内容がピクトインフォメーション表示される。また、ユーザが周囲の状況などを勘案して電子メールの内容をピクトインフォメーション表示させたいと考えてキー押下をしたら、表示禁止文字置換解除処理後の電子メールの内容がピクトインフォメーション表示される。これにより、秘匿したいキーワードを他人に見られてしまうことを防止することができる。また、簡単な操作（本例ではキー押下）で、表示禁止文字置換解除処理後の電子メールをピクトインフォメーション表示させることができる。
【００５０】
なお、本例では、制御部２２がキー押下を検出したら表示禁止文字置換解除処理を実行するようにしているが、ユーザがキー押下に代えて携帯電子機器１の姿勢を変化させ、制御部２２が姿勢検出センサ３４で携帯電子機器１の姿勢の変化を検出したら表示禁止文字置換解除処理を実行するようにしても良い。
【００５１】
また、本例では、電子メールの中にピクトインフォメーション表示を禁止するキーワードが含まれている場合には、制御部２２が表示禁止文字置換処理を実行することとしているが、制御部２２が表示禁止文字置換処理に代えて電子メールの全文をサンプル文に置換するようにしても良い。なお、ユーザがサンプル文を予め設定し、記憶部２４に保存しておくことができる。
【００５２】
次に、図８を用いて携帯電子機器１の動作、具体的には、制御部２２による表示部３２への画像表示動作について説明する。図８は、電子メールを受信する際の携帯電子機器１の第３の処理を示すフロー図である。
【００５３】
まず、制御部２２は、ステップＳ５２として、送受信部２６が外部と通信して電子メールを受信したことを検出したら、電子メールの受信処理を実行する。次に、制御部２２は、ステップＳ５４として、受信した電子メールの中にピクトインフォメーション表示必須のキーワード（受信したらすぐに知りたいキーワード）が含まれているか否かを判定する。なお、ユーザがピクトインフォメーション表示必須のキーワードを予め設定し、記憶部２４に保存しておくことができる。
【００５４】
制御部２２は、ステップＳ５４で電子メールの中にピクトインフォメーション表示必須のキーワードが含まれていない（Ｎｏ）と判定したら、ステップＳ５６として、送信元の秘匿設定がされているか否かを判定する。なお、ユーザが秘匿したい送信元を予め設定し、記憶部２４に保存しておくことができる。制御部２２は、ステップＳ５６で送信元の秘匿設定がされている（Ｙｅｓ）と判定したら、ピクトインフォメーション表示を行うことなく処理を終了する。
【００５５】
制御部２２は、ステップＳ５４で電子メールの中にピクトインフォメーション表示必須のキーワードが含まれている（Ｙｅｓ）と判定したら、またはステップＳ５６で送信元の秘匿設定がされていない（Ｎｏ）と判定したら、ステップＳ５８として、電子メールの内容をピクト表示領域２Ｍａにピクトインフォメーション表示させる。
【００５６】
以上の処理により、まず、電子メールの中にピクトインフォメーション表示必須のキーワードが含まれている場合には、送信元の秘匿設定の有無にかかわらず、電子メールの内容がピクトインフォメーション表示される。また、電子メールの中にピクトインフォメーション表示必須のキーワードが含まれておらず、かつ、送信元の秘匿設定がされていない場合にも、電子メールの内容がピクトインフォメーション表示される。一方、電子メールの中にピクトインフォメーション表示必須のキーワードが含まれておらず、かつ、送信元の秘匿設定がされている場合には、電子メールの内容はピクトインフォメーション表示されない。これにより、すぐに知りたいキーワードが含まれている電子メールを確実にピクトインフォメーション表示することができる。また、すぐに知りたいキーワードが含まれていない秘匿したい送信元からの電子メールを他人に見られてしまうことを防止することができる。
【００５７】
次に、図９を用いて携帯電子機器１の動作、具体的には、制御部２２による表示部３２への画像表示動作について説明する。図９は、電子メールを受信する際の携帯電子機器１の第４の処理を示すフロー図である。
【００５８】
まず、制御部２２は、ステップＳ６２として、送受信部２６が外部と通信して電子メールを受信したことを検出したら、電子メールの受信処理を実行する。次に、制御部２２は、ステップＳ６４として、電子メールの内容をピクト表示領域２Ｍａにピクトインフォメーション表示させる。
【００５９】
その後、ユーザが、電子メールの内容を秘匿したいと考えてキー押下をしたら、制御部２２は、ステップＳ６６として、ピクトインフォメーション表示を終了させる。さらにその後、ユーザが、周囲の状況などを勘案して電子メールの内容をピクトインフォメーション表示させたいと考え直して再度キー押下をしたら、制御部２２は、ステップＳ６８として、電子メールの内容をピクト表示領域２Ｍａに再度ピクトインフォメーション表示させる。
【００６０】
以上の処理により、まず、電子メールの内容がピクトインフォメーション表示される。その後、ユーザが、電子メールの内容を秘匿したいと考えてキー押下をしたら、電子メールのピクトインフォメーション表示が終了される。さらにその後、ユーザが周囲の状況などを勘案して電子メールの内容をピクトインフォメーション表示させたいと考え直して再度キー押下をしたら、電子メールが再度ピクトインフォメーション表示される。これにより、簡単な操作（本例ではキー押下）で、秘匿したい電子メールを他人に見られてしまうことを防止することができる。また、簡単な操作（本例ではキー押下）で、電子メールを再度ピクトインフォメーション表示させることができる。
【００６１】
なお、本例では、制御部２２がキー押下を検出したら電子メールのピクトインフォメーション表示を終了させることとしているが、ユーザがキー押下に代えて携帯電子機器１の姿勢を変化させ、制御部２２が姿勢検出センサ３４で携帯電子機器１の姿勢の変化を検出したら電子メールのピクトインフォメーション表示を終了させるようにしても良い。また、制御部２２がキー押下を再度検出したら電子メールを再度ピクトインフォメーション表示させることとしているが、ユーザがキー押下に代えて携帯電子機器１の姿勢を変化させ、制御部２２が姿勢検出センサ３４で携帯電子機器１の姿勢の変化を再度検出したら電子メールを再度ピクトインフォメーション表示させるようにしても良い。
【００６２】
次に、図１０を用いて携帯電子機器１の動作、具体的には、制御部２２による表示部３２への画像表示動作について説明する。図１０は、電子メールを受信する際の携帯電子機器１の第５の処理を示すフロー図である。
【００６３】
まず、制御部２２は、ステップＳ７２として、送受信部２６が外部と通信して電子メールを受信したことを検出したら、電子メールの受信処理を実行する。次に、制御部２２は、ステップＳ７４として、電子メールの内容をピクト表示領域２Ｍａにピクトインフォメーション表示させる。
【００６４】
その後、ユーザが、電子メールの内容を秘匿したいと考えて携帯電子機器１の姿勢を変化させると、制御部２２は、ステップＳ７６として、姿勢検出センサ３４で携帯電子機器１の姿勢の変化を検出する。続いて、制御部２２は、ステップＳ７８として、受信したメールに代えてサンプル文をピクト表示領域２Ｍａにピクトインフォメーション表示させる処理であるサンプル表示処理を実行する。なお、ユーザがサンプル文を予め設定し、記憶部２４に保存しておくことができる。
【００６５】
さらにその後、ユーザが、周囲の状況などを勘案して電子メールの内容をピクトインフォメーション表示させたいと考え直して携帯電子機器１の姿勢を再度変化させたら、制御部２２は、ステップＳ８０として、姿勢検出センサ３４で携帯電子機器１の姿勢の変化を再度検出する。続いて、制御部２２は、ステップＳ８２として、サンプル文に代えて受信したメールをピクト表示領域２Ｍａにピクトインフォメーション表示させる処理であるサンプル表示解除処理を実行する。なお、このとき、制御部２２が、受信したメールの最初からピクトインフォメーション表示させるようにしても良い。
【００６６】
以上の処理により、まず、電子メールの内容がピクトインフォメーション表示される。その後、ユーザが電子メールの内容を秘匿したいと考えて携帯電子機器１の姿勢を変化させたら、電子メールに代えてサンプル文がピクトインフォメーション表示される。さらにその後、ユーザが周囲の状況などを勘案して電子メールの内容をピクトインフォメーション表示させたいと考え直して携帯電子機器１の姿勢を再度変化させたら、電子メールが再度ピクトインフォメーション表示される。これにより、簡単な操作（本例では携帯電子機器１の姿勢を変化させる）で、秘匿したい電子メールを他人に見られてしまうことを防止することができる。また、簡単な操作（本例では携帯電子機器１の姿勢を変化させる）で、電子メールを再度ピクトインフォメーション表示させることができる。
【００６７】
なお、本例では、制御部２２がステップＳ７８でサンプル表示処理を実行することとしているが、サンプル表示処理に代えて表示禁止文字置換処理を実行するようにしても良い。また、制御部２２がステップＳ８２でサンプル表示解除処理を実行することとしているが、サンプル表示解除処理に代えて表示禁止文字置換解除処理を実行するようにしても良い。
【００６８】
また、本例では、制御部２２が姿勢検出センサ３４で携帯電子機器１の姿勢の変化を検出したらサンプル表示処理を実行することとしているが、ユーザが携帯電子機器１の姿勢を変化させることに代えてキー押下をし、制御部２２がキー押下を検出したらサンプル表示処理を実行するようにしても良い。同様に、制御部２２が姿勢検出センサ３４で携帯電子機器１の姿勢の変化を再度検出したらサンプル表示解除処理を実行することとしているが、ユーザが携帯電子機器１の姿勢を変化させることに代えてキー押下をし、制御部２２がキー押下を再度検出したらサンプル表示解除処理を実行するようにしても良い。
【００６９】
なお、本実施形態においては、ユーザの入力を検出する機構としてキーと姿勢検出センサを用いた場合について説明したが、タッチパネル、加速度センサ等の他の機構を用いることも出来る。
【産業上の利用可能性】
【００７０】
以上のように、本発明にかかる携帯電子機器は、表示領域の一部に電子メールを表示するのに有用である。
【符号の説明】
【００７１】
１  携帯電子機器
３  操作キー
４  専用キー
５  マイク
６  レシーバ
２２  制御部
２４  記憶部
２６  送受信部
２６ａ  アンテナ
２８  操作部
３０  音声処理部
３２  表示部
３４  姿勢検出センサ
【図１】
0005455681.tif 000002
【図２】
0005455681.tif 000003
【図３】
0005455681.tif 000004
【図４】
0005455681.tif 000005
【図５】
0005455681.tif 000006
【図６】
0005455681.tif 000007
【図７】
0005455681.tif 000008
【図８】
0005455681.tif 000009
【図９】
0005455681.tif 000010
【図１０】
0005455681.tif 000011